(57)【要約】【課題】補助光手段使用時の電池の消耗を小さくすることができるストロボ装置を提供する。【解決手段】焦点検出用の補助光とその他の状態認識用の表示とに用いられる補助光手段を有し、前記補助光手段が、前記状態認識用の表示として用いられる場合には、前記補助光手段の発光量を、前記焦点検出用の補助光発光時の発光量（Ｓ１１０）よりも少なくする補助光制御手段（Ｓ１１４）を有する。【選択図】図１０
2006023526.tif 000002
【特許請求の範囲】
【請求項１】
焦点検出用の補助光とその他の状態認識用の表示とに用いられる補助光手段を有するストロボ装置において、
前記補助光手段が前記状態認識用の表示として用いられる場合には、前記補助光手段での発光量を、前記焦点検出用の補助光発光時の発光量よりも少なくする補助光制御手段を有することを特徴とするストロボ装置。
【請求項２】
前記補助光制御手段は、前記状態認識用の表示として用いられる場合には、前記焦点検出用として用いられる場合よりも前記補助光手段での消費電力が小さくなるように、前記補助光手段の駆動信号を切り換えることを特徴とする請求項１に記載のストロボ装置。
【請求項３】
前記補助光制御手段は、前記状態認識用の表示として用いられる場合には、前記補助光手段が発光するオン状態のデューティを下げることを特徴とする請求項１に記載のストロボ装置。
【請求項４】
装着もしくは内蔵される請求項１ないし請求項３のいずれかに記載のストロボ装置と、該ストロボ装置と通信を行うことによりストロボ撮影を行うカメラと、により構成されることを特徴とするカメラシステム。
【請求項５】
通信制御可能なスレーブストロボ装置の状態認識用の表示と焦点検出用の補助光とに用いられる補助光手段を有するストロボ装置において、
前記補助光手段が前記状態認識用の表示として用いられる場合には、前記補助光手段の発光量を、前記焦点検出用の補助光時の発光量よりも少なくする補助光制御手段を有することを特徴とするストロボ装置。
【請求項６】
前記補助光制御手段は、前記補助光手段が前記状態認識用の表示として用いられる場合には、前記焦点検出用として用いられる場合よりも前記補助光手段での消費電力が小さくなるように、前記補助光手段の駆動信号を切り換えることを特徴とする請求項５に記載のストロボ装置。
【請求項７】
前記補助光制御手段は、前記状態認識用の表示として用いられる場合には、前記補助光手段が発光するオン状態のデューティを下げることを特徴とする請求項６に記載のストロボ装置。
【請求項８】
前記補助光手段は、複数の発光体より成り、
前記補助光制御手段は、前記補助光手段が前記状態認識用の表示として用いられる場合には、前記複数の発光体を交互に発光させることを特徴とする請求項５〜７のいずれかに記載のストロボ装置。
【請求項９】
前記補助光手段は、少なくとも三つの発光体より成り、
前記補助光制御手段は、前記補助光手段が前記状態認識用の表示として用いられる場合には、前記複数の発光体を順次発光させることを特徴とする請求項５〜７のいずれかに記載のストロボ装置。
【請求項１０】
装着もしくは内蔵される請求項５ないし請求項９のいずれかに記載のストロボ装置と、該ストロボ装置と通信を行うことによりストロボ撮影を行うカメラと、により構成されることを特徴とするカメラシステム。
【発明の詳細な説明】
【技術分野】
【０００１】
本発明は、補助光手段を具備したストロボ装置や、該ストロボ装置とカメラより成るカメラシステムに関するものである。
【背景技術】
【０００２】
従来、一般的に自動焦点検出用の投光手段としてＬＥＤ（赤外発光ダイオード）を使い、これを補助光（以下、ＡＦ補助光とも記す）として暗中時や合焦しにくい被写体の場合にパターン点灯させている。最近、このＡＦ補助光の到達距離の向上や多点焦点検出点エリア対応による照射エリア拡大に伴い、補助光の光量を大きくするため、前記ＬＥＤの電流を大きくする必要があった。
【０００３】
また、ワイヤレス制御されるスレーブストロボ装置との通信を可能とするストロボ装置において、ワイヤレススレーブ設定時、前記ＡＦ補助光を発する投光手段を兼用して、スレーブ設定の認識や発光準備完了の確認のためのレディライトとして前記投光手段を点滅させるものがあった。例えば、ワイヤレス多灯システムにて、スレーブ設定されたストロボ装置が充電状態であるか否かを自動焦点検出用の投光手段を使って充電状態の情報をカメラに送るといった従来例がある（特許文献１）。また、カメラに内蔵されているＡＦ補助光手段をリモコン操作時にカメラ内蔵のストロボ装置の充電完了の状態確認に光らせるといった従来例もあった（特許文献２）。
【特許文献１】特開平３−１００６３３号公報
【特許文献２】特開平４−９９３６号公報
【発明の開示】
【発明が解決しようとする課題】
【０００４】
しかしながら、ワイヤレススレーブ時のレディライトとして、ＡＦ補助光として使用するＬＥＤを通常の電流で光らせると、電池の消耗が激しくなるといった欠点があった。また、複数のＬＥＤのうち特定のＬＥＤをレディライトとして点灯しつづけると、特定のＬＥＤの耐久寿命が他のＬＥＤより先にきてしまう欠点があった。さらに、ＡＦ補助光発光時とスレーブ設定の認識や発光準備完了の確認のための補助光発光時との区別がつかず、視認性に欠けていた。
【０００５】
（発明の目的）
本発明の第１の目的は、補助光手段使用時の電池の消耗を小さくすることのできるストロボ装置及びカメラシステムを提供しようとするものである。
【０００６】
本発明の第２の目的は、補助光手段を構成する発光体のうち、所定の発光体の寿命が短くなることを防ぐとともに、補助光の視認性を向上させることのできるストロボ装置及びカメラシステムを提供しようとするものである。
【課題を解決するための手段】
【０００７】
上記第１の目的を達成するために、請求項１〜３に記載の発明は、焦点検出用の補助光とその他の状態認識用の表示とに用いられる補助光手段を有するストロボ装置において、前記補助光手段が前記状態認識用の表示として用いられる場合には、前記補助光手段での発光量を、前記焦点検出用の補助光発光時の発光量よりも少なくする補助光制御手段を有するストロボ装置とするものである。
【０００８】
同じく上記第１の目的を達成するために、請求項４に記載の発明は、装着もしくは内蔵される請求項１ないし請求項３のいずれかに記載のストロボ装置と該ストロボ装置と通信を行うことによりストロボ撮影を行うカメラとにより構成されるカメラシステムとするものである。
【０００９】
同じく上記第１の目的を達成するために、請求項５に記載の発明は、通信制御可能なスレーブストロボ装置の状態認識用の表示と焦点検出用の補助光とに用いられる補助光手段を有するストロボ装置において、前記補助光手段が前記状態認識用の表示として用いられる場合には、前記補助光手段の発光量を、前記焦点検出用の補助光発光時の発光量よりも少なくする補助光制御手段を有するストロボ装置とするものである。
【００１０】
また、上記第１及び第２の目的を達成するために、請求項８に記載の発明は、前記補助光手段が、複数の発光体より成り、前記補助光手段が前記状態認識用の表示として用いられる場合には、前記複数の発光体を交互に発光させる補助光制御手段を有する請求項５〜７のいずれかに記載のストロボ装置とするものである。
【００１１】
同じく上記第１及び第２の目的を達成するために、請求項９に記載の発明は、前記補助光手段が、少なくとも三つの発光体より成り、前記補助光手段が前記状態認識用の表示として用いられる場合には、前記複数の発光体を順次発光させる補助光制御手段を有する請求項５〜７のいずれかに記載のストロボ装置とするものである。
【００１２】
また、上記第１及び第２の目的を達成するために、請求項１０に記載の発明は、装着もしくは内蔵される請求項４ないし請求項１０のいずれかに記載のストロボ装置と、該ストロボ装置と通信を行うことによりストロボ撮影を行うカメラと、により構成されるカメラシステムとするものである。
【発明の効果】
【００１３】
本発明によれば、補助光手段使用時の電池の消耗を小さくすることができるストロボ装置又はカメラシステムを提供できるものである。
【００１４】
さらに、本発明によれば、補助光手段を構成する発光体のうち、所定の発光体の寿命が短くなることを防ぐとともに、補助光の視認性を向上させることができるストロボ装置又はカメラシステムを提供できるものである。
【発明を実施するための最良の形態】
【００１５】
以下の実施例１ないし実施例４に示す通りである。
【実施例１】
【００１６】
図１は発明の実施例１に係るカメラシステム（レンズが装着されるカメラ及び該カメラに装着されるストロボ装置より成る）の概略機構を示す図であり、同図において、１はストロボ装置、２はカメラ、３はレンズである。
【００１７】
ストロボ装置１は、カメラ２に対して着脱可能（又は内蔵されていても良い）にされている。このストロボ装置１内には、集光レンズ４、例えばキセノン管などの発光素子５、不図示の電池の電圧を発光素子５の発光に必要な電圧レベルにまで昇圧する昇圧回路６、ＬＣＤやＬＥＤ等のストロボの設定状態を示す表示器７、集光レンズ４を移動させて照射光の照射角を変更させるための照射角調整用モータ８、及び、上記の昇圧回路６、表示器７、照射角調整用モータ８等が接続され、これらを所定のプログラムに従って制御するストロボ制御用マイクロコンピュータ（以下、ＦＰＵ）９が備わっている。このストロボ装置１は、カメラ２より離れた位置に配置される不図示のスレーブストロボ装置とワイヤレスにより通信可能であり、カメラ２との共動によりスレーブストロボ装置の発光制御を行う。
【００１８】
ＦＰＵ９は、例えば、ＣＰＵ、ＲＯＭ、ＲＡＭ、入出力制御回路（Ｉ／Ｏコントロール回路）、マルチプレクサ、タイマ回路等を含むマイコン内蔵ワンチップＩＣ回路構成となっている。１０はＦＰＵ９に接続されたＥＥＰＲＯＭ（電気的にデータを消去・書き込みできるＲＯＭ）であり、ストロボ動作に必要な設定情報が書き込まれる。これは電源をオフしても記憶している不揮発性メモリである。なお、上記ＦＰＵ９に内蔵されていても良い。２４はスイッチ回路であり、ＦＰＵ９に接続されてストロボ装置１の各種設定を行う（詳細は図４に示す）。２５はワイヤレス受光回路であり、後述のスイッチＷＳＬＳＷがワイヤレススレーブに設定されている場合、不図示のスレーブストロボ装置から送られた送信信号を受信し、ＦＰＵ９ヘ出力する。１０００は、複数の発光体であるＬＥＤからなり、ピント調整の焦点検出時の補助光等として用いられる補助光手段であり、詳細は図３、図５、図６に示す。この実施例１では複数の焦点検出点を有するカメラを想定しており、オートフォーカス(ＡＦ)時には、補助光手段１０００は多点対応のＡＦ補助光を発する光源として、コントラストのない被写体や暗中で合焦しやすいように一定条件で、カメラ２からの指示にしたがって発光する。
【００１９】
前記カメラ２内には、ペンタプリズム１１、フォーカシングスクリーン１２、主ミラー１３、サブミラー１４を備える光学系や、露出制御用に被写体の輝度情報を得るための光電変換素子（ＳＰＤ）１５、ストロボ発光量を制御するためにフィルム面１６の光量情報を得るための光電変換素子（ＳＰＤ）１７、サブミラー１４からの光束を入力して被写体のデフォーカス情報を得るための焦点検出用光電変換素子１８、及び、焦点検出用光電変換素子１８の各センサ素子とこれらのセンサ素子からの情報を入力してカメラの各部のメカニズム（不図示）の動作等を所定のプログラムに従って制御するカメラ制御用マイクロコンピュータ（以下、ＣＣＰＵ）１９が備わっている。
【００２０】
前記レンズ３内には、フォーカスレンズ群を駆動してピントの調整を行わせるためのフォーカスレンズ駆動用モータ２０、絞り駆動用モータ２１、ズーム操作がなされた場合にレンズの焦点距離を知るためのズームエンコーダ２２、及び、前述のフォーカスレンズ駆動用モータ２０と絞り駆動用モータ２１との動作を所定のプログラムに従って制御し、ズームエンコーダ２２からその焦点距離情報を入力するレンズ制御用マイクロコンピュータ（以下、ＬＰＵ）２３が備わっている。
【００２１】
尚、ＦＰＵ９とＣＣＰＵ１９とＬＰＵ２３とは通信ラインＳＣによって接続されており、ＣＣＰＵ１９をホストとして、データの交換やコマンドの伝達を相互に行う。
【００２２】
図２はストロボ装置１に備えられた表示器７での表示内容を示す図であり、同図において、１０１はレンズの焦点距離情報をもとにストロボ装置１内で設定された照射角に対応した焦点距離情報を表示するための、例えば３桁の７セグメント群である。１０２はカメラ２より自動的にストロボズームを動作させる“ＡＵＴＯ”とストロボ単体でズーム位置を決めるマニュアルズームモードの“Ｍ”を表示させるセグメントである。１０３はカスタムファンクションに関する表示セグメントであり、ここでカスタムファンクションについて説明する。ストロボ装置１の各種設定やモード状態を撮影者の好みに応じて記憶する方法で例えば前記二つのモードをカスタムファンクションで撮影者が選択できるようにする。ストロボ装置１に備えられる表示器７の表示内容を図２に示すように、ストロボ装置１の不図示のスイッチ操作部により、「ＣＦ１」を０にした時は第一の設定モード、「ＣＦ１」を１にした時は第二の設定モード、というように切り換えるようにしたものである。これは電源をオフしても記憶を保持しつづける機能を持つメモリである、図１のＥＥＰＲＯＭ１０に記憶してある。なお、上記のようにＥＥＰＲＯＭ１０によりカスタムファンクションの設定を記憶しておいても良いし、ＦＰＵ９に内蔵されているＥＥＰＲＯＭに記憶しておいてもよい。１０４は連動距離表示を示すバーを表示させるセグメント、１０５はレンズ３の絞り値を表示させるセグメント、１０６はワイヤレスマスターモードのときに点灯する表示セグメント、１０７はワイヤレススレーブモードのときに点灯する表示セグメントである。
【００２３】
図３はストロボ装置１の回路構成を示すブロック図であり、図１と同じ部分は同一の符号を付し、その説明は省略する。
【００２４】
ＦＰＵ９とワイヤレス受光回路２５は通信ラインＷＬＳ＿ＯＮによって接続されており、ＦＰＵ９をホストとしてワイヤレススレーブ時にワイヤレス受光回路２５を動作させる際に該ＦＰＵ９がハイレベル（以下、ＨＬと記す）信号を送る。この実施例１では、ローレベル（以下、ＬＬと記す）時にはワイヤレス受光回路２５は動作せず、ハイレベル（以下、ＨＬと記す）時に動作する。また、ＦＰＵ９とワイヤレス受光回路２５は通信ラインＷＬＳ＿ＩＮによっても接続されており、ＦＰＵ９をホストとしてワイヤレススレーブ時にワイヤレス受光回路２５を介して不図示のスレーブストロボ装置から受光信号が送出されてくると、この信号に応じて該ＦＰＵ９が前記スレーブストロボ装置のストロボ制御を行う。２６は電源回路であり、たとえば電池（不図示）から設定された電圧を供給するＤＣ／ＤＣコンバータを含む定電圧回路であり、ＦＰＵ９の電圧源ＶＤＤを供給したり、後述の補助光手段１０００の電圧源Ｖｃｃ，Ｖｃを供給したりする。
【００２５】
補助光手段１０００は、本実施例１では複数の発光体として、ＬＥＤ１，ＬＥＤ２，ＬＥＤ３の三つのＬＥＤより構成されるものとする。ＬＥＤ１〜３は多点対応のオートフォーカスに対応するため、カメラの複数の焦点検出点（焦点検出用光電変換素子１８の各センサ素子）に応じたパターン投光を行うように設定されている（詳細は、後述の図５および図６にて行う）。この補助光手段１０００は、ＦＰＵ９と信号ラインＬＥＤＯＮ１，ＬＥＤＯＮ２，ＬＥＤＯＮ３で接続され、ＦＰＵ９からの命令で補助光を点灯させる。本実施例１では、ＬＥＤＯＮ１〜３の各端子をＬＬにすると消灯、ＨＬにすると点灯するようにしている。なお、実施例１ではＬＥＤは三つであるが、二つ以下でも、四つ以上でも同様である。
【００２６】
補助光手段１０００内において、１００１はＬＥＤ１であり、アノードが電圧源Ｖｃｃに接続され、カソードが後述のＮＰＮトランジスタ１００２のコレクタに接続されている。１００２はＮＰＮトランジスタであり、エミッタが後述の抵抗１００３の一端と後述のオペアンプ１００４の反転入力端に接続され、ベースが後述のオペアンプ１００４の出力端と後述のＮＰＮトランジスタ１００８のコレクタに接続されている。１００３（Ｒ１４）は抵抗であり、一端がＮＰＮトランジスタ１００２のエミッタと後述のオペアンプ１００４の反転入力端に接続され、他端がＧＮＤに接続される。１００４はオペアンプであり、反転入力端がＮＰＮトランジスタ１００２のエミッタと抵抗１００３の一端に接続され、非反転入力端が抵抗１００５の他端と抵抗１００７の他端と抵抗１００６の一端に接続され、出力端がＮＰＮトランジスタ１００２のベースと後述のＮＰＮトランジスタ１００８のコレクタに接続される。１００５（Ｒ１１）は抵抗であり、一端が電圧源Ｖｃに接続され、他端がオペアンプ１００４の非反転入力端と抵抗１００７の他端に接続される。１００６（Ｒ１２）は抵抗であり、他端が抵抗１００５の他端に接続され、他端がＧＮＤに接続される。１００７（Ｒ１３）は抵抗であり、他端が抵抗１００５の他端に接続され、一端が後述のＰＮＰトランジスタ１０１２のコレクタに接続される。
【００２７】
また、１００８はＮＰＮトランジスタであり、コレクタがオペアンプ１００４の出力端とＮＰＮトランジスタ１００２のベースに接続され、エミッタがＧＮＤに接続され、ベースが後述の抵抗１００９の一端と抵抗１０１０の一端に接続される。１００９は抵抗であり、一端がＮＰＮトランジスタ１００８のベースに接続され、他端が後述のＮＯＴゲート１０１１の出力端に接続される。１０１０は抵抗であり、一端がＮＰＮトランジスタ１００８のベースに接続され、他端がＧＮＤに接続される。１０１１はＮＯＴゲートであり、出力端が抵抗１００９の他端に接続され、入力端がＦＰＵ９のＬＥＤＯＮ１の信号ラインに接続される。１０１２はＰＮＰトランジスタであり、エミッタが電圧源Ｖｃに接続され、コレクタが抵抗１００７の一端に接続され、ベースが後述の抵抗１０１３の一端に接続される。１０１３は抵抗であり、一端がＰＮＰトランジスタ１０１２のベースに接続され、他端がＦＰＵ９のＷＬＳ＿ＯＮの信号ラインに接続される。
【００２８】
以上の、ＰＮトランジスタ１００２から抵抗１０１３までが、ＬＥＤ１の発光のための回路構成である。
【００２９】
同じく補助光手段１０００内において、２００１はＬＥＤ２であり、アノードが電圧源Ｖｃｃに接続され、カソードが後述のＮＰＮトランジスタ２００１のコレクタに接続されている。２００２はＮＰＮトランジスタであり、エミッタが後述の抵抗２００３の一端と後述のオペアンプ２００４の反転入力端に接続され、ベースが後述のオペアンプ２００４の出力端と後述のＮＰＮトランジスタ２００８のコレクタに接続されている。２００３（Ｒ２４）は抵抗であり、一端がＮＰＮトランジスタ２００２のエミッタと後述のオペアンプ２００４の反転入力端に接続され、他端がＧＮＤに接続される。２００４はオペアンプであり、反転入力端がＮＰＮトランジスタ２００２のエミッタと抵抗２００３の一端に接続され、非反転入力端が抵抗２００５の他端と抵抗２００７の他端と抵抗２００６の一端に接続され、出力端がＮＰＮトランジスタ２００２のベースと後述のＮＰＮトランジスタ２００８のコレクタに接続される。２００５は抵抗（Ｒ２１）であり、一端が電圧源Ｖｃに接続され、他端がオペアンプ２００４の非反転入力端と抵抗２００７の他端に接続される。２００６（Ｒ２２）は抵抗であり、一端が抵抗２００５の他端に接続され、他端がＧＮＤに接続される。２００７（Ｒ２３）は抵抗であり、他端が抵抗２００５の他端に接続され、一端が後述のＰＮＰトランジスタ２０１２のコレクタに接続される。
【００３０】
また、２００８はＮＰＮトランジスタであり、コレクタがオペアンプ２００４の出力端とＮＰＮトランジスタ２００２のベースに接続され、エミッタがＧＮＤに接続され、ベースが後述の抵抗２００９の一端と抵抗２０１０の一端に接続される。２００９は抵抗であり、一端がＮＰＮトランジスタ２００８のベースに接続され、他端が後述のＮＯＴゲート２０１１の出力端に接続される。２０１０は抵抗であり、一端がＮＰＮトランジスタ２００８のベースに接続され、他端がＧＮＤに接続される。２０１１はＮＯＴゲートであり、出力端が抵抗２００９の他端に接続され、入力端がＦＰＵ９のＬＥＤＯＮ２の信号ラインに接続される。２０１２はＰＮＰトランジスタであり、エミッタが電圧源Ｖｃに接続され、コレクタが抵抗２００７の一端に接続され、ベースが後述の抵抗２０１３の一端に接続される。２０１３は抵抗であり、一端はＰＮＰトランジスタ２０１２のベースに接続され、他端はＦＰＵ９のＷＬＳ＿ＯＮの信号ラインに接続される。
【００３１】
以上の、ＮＰＮトランジスタ２００１から抵抗２０１３までが、ＬＥＤ２の発光のための回路構成である。
【００３２】
同じく補助光手段１０００内において、３００１はＬＥＤ３であり、アノードが電圧源Ｖｃｃに接続され、カソードが後述のＮＰＮトランジスタ３００２のコレクタに接続されている。３００２はＮＰＮトランジスタであり、エミッタが後述の抵抗３００３の一端と後述のオペアンプ３００４の反転入力端に接続され、ベースが後述のオペアンプ３００４の出力端と後述のＮＰＮトランジスタ３００８のコレクタに接続されている。３００３（Ｒ３４）は抵抗であり、一端がＮＰＮトランジスタのエミッタ３００２と後述のオペアンプ３００４の反転入力端に接続され、他端がＧＮＤに接続される。３００４はオペアンプであり、反転入力端がＮＰＮトランジスタ３００２のエミッタと抵抗３００３の一端に接続され、非反転入力端が抵抗３００５の他端と抵抗３００７の他端と抵抗３００６の一端に接続され、出力端がＮＰＮトランジスタ３００２のベースと後述のＮＰＮトランジスタ３００８のコレクタに接続される。３００５（Ｒ３１）は抵抗であり、一端が電圧源Ｖｃに接続され、他端がオペアンプ３００４の非反転入力端と抵抗３００７の他端に接続される。３００６（Ｒ３２）は抵抗であり、一端が抵抗３００５の他端に接続され、他端がＧＮＤに接続される。３００７（Ｒ３３）は抵抗であり、他端が抵抗３００５の他端に接続され、一端が後述のＰＮＰトランジスタ３０１２のコレクタに接続される。
【００３３】
また、３００８はＮＰＮトランジスタであり、コレクタがオペアンプ３００４の出力端とＮＰＮトランジスタ３００２のベースに接続され、エミッタがＧＮＤに接続され、ベースが後述の抵抗３００９の一端と抵抗３０１０の一端に接続される。３００９は抵抗であり、一端がＮＰＮトランジスタ３００８のベースに接続され、他端が後述のＮＯＴゲート３０１１の出力端に接続される。３０１０は抵抗であり、一端がＮＰＮトランジスタ３００８のベースに接続され、他端がＧＮＤに接続される。３０１１はＮＯＴゲートであり、出力端が抵抗３００９の他端に接続され、入力端がＦＰＵ９のＬＥＤＯＮ３の信号ラインに接続される。３０１２はＰＮＰトランジスタであり、エミッタが電圧源Ｖｃに接続され、コレクタが抵抗３００７の一端に接続され、ベースが後述の抵抗３０１３の一端に接続される。３０１３は抵抗であり、一端がＰＮＰトランジスタ３０１２のベースに接続され、他端がＦＰＵ９のＷＬＳ＿ＯＮの信号ラインに接続される。
【００３４】
以上の、ＮＰＮトランジスタ３００２から抵抗３０１３までが、ＬＥＤ３の発光のための回路構成である。
【００３５】
ここで、上記補助光手段１０００内のＬＥＤ１が発光するときの動作について説明する。
【００３６】
《 ＷＬＳ＿ＯＮがＬＬの場合（ワイヤレススレーブがＯＦＦ）》
ＦＰＵ９の信号ラインＬＥＤＯＮ１がＬＬからＨＬになる。すると、ＮＯＴゲート１０１１の入力がＨＬとなり、出力がＬＬになる。抵抗１００９、抵抗１０１０を介してＮＰＮトランジスタ１００８がオンからオフになり、オペアンプ１００４の出力を許可する（ＬＥＤＯＮ１がＬＬのときはＮＰＮトランジスタ１００８がオンして、オペアンプ１００４の出力をＧＮＤに落とし出力をＬＬにする）。オペアンプ１００４の出力を許可すると、ＮＰＮトランジスタ１００２がオンし、電圧源ＶｃｃからＬＥＤ１のアノード−カソードを介してＮＰＮトランジスタ１００２のコレクタ−エミッタ間に電流が流れ、ＬＥＤ１に電流が流れて該ＬＥＤ１の発光が開始される。このとき、抵抗１００３にも電流が流れ、該抵抗１００３の両端に電圧が発生することからオペアンプ１００４の反転入力端に電圧が発生する。オペアンプ１００４の特性から、非反転入力端の電圧と反転入力端の電圧の差動電圧に相当する電圧が出力されるため、非反転入力端の電圧になるまで反転入力端の電圧は上昇するようにオペアンプ１００４の出力がなされ、ＮＰＮトランジスタ１００２のベースを制御することでＬＥＤ１の電流が制御される。すなわち、抵抗１００３の両端にかかる電圧はＬＥＤ１に流れる電流に比例して流れ、非反転入力端電圧と同じ電圧になったときにオペアンプ１００４の出力は零になるため、ＬＥＤ１の定電流駆動が行われる。
【００３７】
ＬＥＤ１の電流を決めるオペアンプ１００４の非反転入力端の電圧についてだが、ＷＬＳ＿ＯＮがＬＬの場合、抵抗１０１３を介してＰＮＰトランジスタ１０１２がオンし、オペアンプ１００４の非反転入力端に入力される電圧は、Ｖｃ電圧を抵抗１００５（Ｒ１１）と抵抗１００７（Ｒ１３）の並列抵抗値と抵抗１００６（Ｒ１２）で分圧した値となる。本実施例１の場合、ＬＥＤ１の電流は、以下の式にて得られる値となる。
【００３８】
Ｉ（ＬＥＤ１：ワイヤレススレーブＯＦＦ時）＝
Ｖｃ×〔Ｒ１２／［｛(Ｒ１１×Ｒ１３)／（Ｒ１１＋Ｒ１３）｝＋Ｒ                                                      １２］〕／Ｒ１４    ……（１）
例えばＬＥＤ１の電流を５００ｍＡとする場合は、
Ｖｃ＝５．０Ｖ
Ｒ１１＝１００ｋΩ、Ｒ１２＝２．２ｋΩ、Ｒ１３＝２２ｋΩ、Ｒ１４＝１Ω
と設定するとよい。
【００３９】
《 ＷＬＳ＿ＯＮがＨＬの場合（ワイヤレススレーブがＯＮ）》
ＬＥＤ１の電流を決めるオペアンプ１００４の非反転入力端の電圧についてだが、ＷＬＳ＿ＯＮがＨＬの場合、抵抗１０１３を介してＰＮＰトランジスタ１０１２がオフし、オペアンプ１００４の非反転入力端に入力される電圧は、Ｖｃ電圧を抵抗１００５（Ｒ１１）と抵抗１００６（Ｒ１２）で分圧した値となる。本実施例１の場合、ＬＥＤ１の電流は、以下の式にて得られる値となる。
【００４０】
Ｉ（ＬＥＤ１：ワイヤレススレーブＯＮ時）＝
Ｖｃ×{Ｒ１２／（Ｒ１１＋Ｒ１２）}／Ｒ１４……（２）
例えば上記（１）式のワイヤレススレーブＯＦＦ条件と同じく
Ｖｃ＝５．０Ｖ
Ｒ１１＝１００ｋΩ、Ｒ１２＝２．２ｋΩ、Ｒ１３＝２２ｋΩ、Ｒ１４＝１Ω
と設定すると、ＬＥＤ１への電流は、ワイヤレススレーブＯＦＦ条件の５００ｍＡからワイヤレススレーブＯＮ条件では１００ｍＡに切り換わる。
【００４１】
ＬＥＤ２，ＬＥＤ３も同様で、
Ｒ１１をＲ２１，Ｒ３１に置き換え
Ｒ１２をＲ２２，Ｒ３２に置き換え
Ｒ１３をＲ２３，Ｒ３３に置き換え
Ｒ１４をＲ２４，Ｒ３４に置き換えると、同様の式で実施できる。
【００４２】
また、動作に関しても、前述のＬＥＤ１の回路構成とＬＥＤ２，ＬＥＤ３の回路構成が同等のため、ＬＥＤ１の説明における、１００２〜１０１３の各部品の動作を、ＬＥＤ２の２００２〜２０１３、ＬＥＤ３の３００２〜３０１３の各部品の動作に、それぞれ置き換えれば同様に実現可能であり、ここではその説明は省略する。
【００４３】
図４はスイッチ回路２４の詳細な回路構成を示す図である。スイッチ回路２４はＦＰＵ９に接続されており、例えばレリーズスイッチの第一ストロークスイッチＳＷ１、レリーズスイッチの第二ストロークスイッチＳＷ２、ワイヤレスオフスイッチＷＳＷＯＦＦ、ワイヤレスマスターモードに設定するスイッチＷＭＳＷ、ワイヤレススレーブモードに設定するスイッチＷＳＬＳＷが設けられている。前記ワイヤレススレーブがＯＮかＯＦＦかは、前記スイッチＷＳＬＳＷのオン、オフによって切り換えられる。
【００４４】
図５は補助光手段１０００を構成するＬＥＤ１〜ＬＥＤ３の配置の一例を示す図であり、正面から見た配置を示している。同図において、２７はＬＥＤ１の発光を被写体に拡散照射するためレンズであり、詳細は後述の図６に示す。２８はＬＥＤ２の発光を被写体に拡散照射するためレンズであり、詳細は後述の図６に示す。２９はＬＥＤ３の発光を被写体に拡散照射するためレンズであり、詳細は後述の図６に示す。配置としては、中心にＬＥＤ１を、左右にＬＥＤ２，ＬＥＤ３を、それぞれ配置している。
【００４５】
図６は補助光点灯の概念図であり、ＬＥＤ１，ＬＥＤ２，ＬＥＤ３、レンズ２７〜２９は前述した通りである。３０は投光パターンを決めるスリット板であり、ＬＥＤ１が発光すると、スリット板３０、レンズ２７を介して投光され、５０１のように投光され、（ａ）のパターンが中央に投光される。３１は投光パターンを決めるスリット板であり、ＬＥＤ２が発光するとスリット板３１、レンズ２８を介して投光され、５０２のように投光され、（ｂ）のパターンが右側から中央に向かって投光される。３２は投光パターンを決めるスリット板であり、ＬＥＤ３が発光すると、スリット板３２、レンズ２９を介して投光され、５０３のように投光され、（ｃ）のパターンが左側から中央に向かって投光される。投光パターンは、ＬＥＤ１，ＬＥＤ２，ＬＥＤ３の発光により組み合わせられて、カメラの複数の焦点検出点（焦点検出用光電変換素子１８の各センサ素子）に応じたパターン投光を行う。
【００４６】
次に、カメラ２内のＣＣＰＵ１９の具体的な動作について、図７及び図８のフローチャートに従って説明する。
【００４７】
不図示の電源スイッチがオンされてＣＣＰＵ１９が動作可能となると、図７のステップＳ１から所定の動作を開始する。
［ステップＳ１］  ＣＣＰＵ１９自身のメモリやポートの初期化を行う。
［ステップＳ２］  第１ストロークスイッチＳＷ１がオンされるのを待ち、その後第１ストロークスイッチＳＷ１がオンされるとステップＳ３へ進む。
［ステップＳ３］  ＬＰＵ２３と通信ラインＳＣを介して通信を行い、レンズ３の焦点距離情報や焦点検出、測光に必要な光学情報を取得する。
［ステップＳ４］  カメラ２にストロボ装置１が装着されているかどうかをチェックし、カメラ２にストロボ装置１が装着されているならばステップＳ５に進み、未装着ならばステップＳ６へ進む。
［ステップＳ５］  ＦＰＵ９と通信ラインＳＣを介して通信を行い、上記ステップＳ３にて取得したレンズ３の焦点距離情報をＦＰＵ９に出力する。
［ステップＳ６］  光電変換素子１８の出力に基づいて焦点検出動作を行い、フォーカスレンズの駆動を指令する。これにより、レンズ３は合焦状態になる。詳細な動作は図９に示す。
［ステップＳ７］  被写体の輝度情報を得るために光電変換素子１５の測光出力を入力する。
［ステップＳ８］  ＦＰＵ９が充電完了信号を出力しているかどうかをチェックする。ここで、ＦＰＵ９が充電完了信号を出力しているならばステップＳ９へ進み、出力していないならばステップＳ１０へ進む。なお、このＦＰＵ９が充電完了信号を出力しているかどうかの判定結果は、後のステップで用いるので記憶しておく。
［ステップＳ９］  ストロボ撮影を行うために適したシャッタ速度（Ｔｖ）と絞り値（Ａｖ）とを上記ステップＳ７にて得られた測光出力を基に決定する。
［ステップＳ１０］  自然光撮影を行うために適したシャッタ速度（Ｔｖ）と絞り値（Ａｖ）とを上記ステップＳ７にて得られた測光出力を基に決定する。
【００４８】
上記ステップＳ９又はステップＳ１０の処理を実行すると、ステップＳ１１へ進む。
［ステップＳ１１］  第２ストロークスイッチＳＷ２がオンされているかどうかをチェックし、オフであるならばステップＳ２へ戻って上述したステップを繰り返す。一方、オンされていれば図８のステップＳ１２へ進む。
【００４９】
図８に、レリーズ後の動作のフローチャートを示す。
［ステップＳ１２］  不図示のモータを駆動して主ミラー１３、サブミラー１４をアップさせる。
［ステップＳ１３］  上記ステップＳ９又はステップＳ１０にて決定された絞り値の情報を通信ラインＳＣを介してＬＰＵ２３に出力し、絞りの駆動を指令する。これにより、絞り込みの動作が行われる。
［ステップＳ１４］  シャッタの先幕を走行させる。これにより露光が開始される。
［ステップＳ１５］  上記ステップＳ９又はステップＳ１０にて決定されたシャッタ速度の情報をもとにシャッタの開閉時間のカウントを開始する。
［ステップＳ１６］  上記ステップＳ８にて記憶した判定結果により、ＦＰＵ９が充電完了信号を出力しているかどうかをチェックする。この結果、ＦＰＵ９が充電完了信号を出力しているならばステップＳ１７へ進む。なお、上記ステップＳ１６での判定結果が、ＦＰＵ９は充電完了信号を出力していないという場合には、ステップＳ１６からステップＳ２５へと進む。
［ステップＳ１７］  通信ラインＳＣを介して通信を行い、ストロボの発光開始用信号をＦＰＵ９に出力する。これにより、ストロボの発光が開始される。
［ステップＳ１８］  フィルム面１６の光量情報を得るために光電変換素子１７の出力信号をモニタして、ストロボの発光量が十分なレベルに達したかどうかをチェックする。この結果、ストロボの発光量が十分なレベルに達していればステップＳ１９へと進む。
［ステップＳ１９］  通信ラインＳＣを介して通信を行い、ストロボの発光停止用信号をＦＰＵ９に出力する。これにより、ストロボの発光が停止される。なお、上記ステップＳ１８においてストロボの発光量が十分なレベルに達していなかった場合には、ステップＳ１９での処理は行わずにステップＳ２０へと進む。
［ステップＳ２０］  上記ステップＳ１５にて開始したシャッタの開閉時間のカウントが終了したかどうかをチェックし、時間のカウントが終了していればステップＳ２１に進むが、そうでなければステップＳ１８に戻り、上述したステップを繰り返す。
［ステップＳ２１］  シャッタの後幕を走行させる。これによって露光が終了する。
［ステップＳ２２］  通信ラインＳＣを介してＬＰＵ２３と通信して絞りを開放にするように指令する。
［ステップＳ２３］  不図示のモータを駆動して主ミラー１３、サブミラー１４をダウンさせるとともに、シャッタをチャージする。
［ステップＳ２４］  不図示のモータを駆動してフィルムの巻き上げを行う。この後、図７のステップＳ１へ戻って上述したステップを繰り返す。
［ステップＳ２５］  上記ステップＳ１５にて開始したシャッタの開閉時間のカウントが終了したかどうかをチェックし、時間のカウントが終了しているならばステップＳ２１に進み、そうでなければカウントの終了を待つ。
【００５０】
以上の処理はフィルムを使ったカメラの動作であるが、フィルムの代わりに電子撮像素子（ＣＣＤ、ＣＭＯＳ）を使っても同様である。この場合、ステップＳ２４のモータによるフィルム巻き上げ動作の代わりに取り込み画像の処理を行うことになる。
【００５１】
図９に、図７のステップＳ６での焦点検出動作について、詳述する。
［ステップＳ６０１］  前回行った合焦結果により今回の焦点検出で補助光が必要かどうかを判別する。この判別は、測光回路による被写体の一定の輝度以下の場合でも良いし、繰り返し合焦動作をしても合焦できなかった場合でも良い。ここで今回の焦点距離で補助光が必要と判別した場合は、蓄積開始前に補助光を点灯するためにステップＳ６０２へ進む。また、補助光が必要でないと判別したときは、ステップＳ６０３へ進む。
［ステップＳ６０２］  ストロボ装置１のＦＰＵ９に対して、通信ラインＳＣを介してＡＦ補助光点灯指示をする。
［ステップＳ６０３］  焦点検出用光電変換素子１８の各センサに蓄積させ、その読み出しを行い、そのセンサ出力のＡＤ変換を行う。
［ステップＳ６０４］上記ステップ６０２で補助光を点灯させたときは、補助光を消灯させる。
［ステップＳ６０５］  ステップＳ６０３のＡＤ値をもとに既存のアルゴリズムで焦点検出情報を演算し、被写体のデフォーカス情報を取得する。
［ステップＳ６０６］  上記ステップＳ６０５にて得られた被写体のデフォーカス情報をもとにレンズの駆動量を算出して、これを通信ラインＳＣを介してＬＰＵ２３に出力し、フォーカスレンズの駆動を指令する。これにより、レンズ３は合焦状態になる。そして、図７のステップＳ７へリターンする。
【００５２】
次に、ストロボ装置１内のＦＰＵ９での具体的な動作について、図１０のフローチャートに従って説明する。
【００５３】
不図示の電源スイッチがオンされてＦＰＵ９が動作可能となると、該ＦＰＵ９はステップＳ１０１より所定の動作を開始する。
［ステップＳ１０１］  ＦＰＵ９自身のメモリやポートの初期化を行う。
［ステップＳ１０２］  昇圧回路６を動作開始させて発光の準備を行う。
［ステップＳ１０３］  ＣＣＰＵ１９から通信ラインＳＣを介してレンズ３の焦点距離情報を取得したかどうかをチェックし、レンズ３の焦点距離情報を取得していれば、ステップＳ１０４へ進む。
【００５４】
尚、上記ステップＳ１０３にてレンズ３の焦点距離情報を取得していなかった場合には、ステップＳ１０４，Ｓ１０５での処理は行わずにステップＳ１０６へ進む。
［ステップＳ１０４］  ＣＣＰＵ１９から送信されてきたレンズ３の焦点距離情報を自身のメモリ内に記憶する。また、これ以前にレンズ３の焦点距離情報を自身のメモリ内に記憶していたならば、記憶内容を更新する。
［ステップＳ１０５］  自身のメモリ内に記憶されたレンズ３の焦点距離情報を表示器７に表示する。ここでは、図２の７セグメント群１０１に焦点距離情報を表示する。このとき、照射角調整用モータ８は駆動しない（ズーム動作はしない）。
［ステップＳ１０６］  ＦＰＵ９は、図４に示すスイッチＷＳＬＳＷがオンされてワイヤレススレーブモードが設定されているかどうか判別し、スイッチＷＳＬＳＷがオフの通常モード時はステップＳ１０７へ進み、スイッチＷＳＬＳＷがオンのワイヤレススレーブモード時はステップＳ１１２へ進む。
［ステップＳ１０７］  ＬＥＤＯＮ１，ＬＥＤＯＮ２，ＬＥＤＯＮ３をＬＬにし、ワイヤレススレーブの動作可能状態を示す補助光点灯表示を止める。
［ステップＳ１０８］  ＷＬＳ＿ＯＮ信号がすでにＨＬであったら、ＨＬからＬＬに変更する。後述のワイヤレス受光回路２５の動作を止める。
［ステップＳ１０９］  カメラのＣＣＰＵ１９から通信ラインＳＣを介して、前述ステップＳ６０２でＡＦ補助光点灯指示をしているかを判別する。ＡＦ補助光点灯指示が出ていればステップＳ１１０へ進み、ＡＦ補助光点灯指示が出ていればステップＳ１１１へ進む。
［ステップＳ１１０］ＡＦ補助光点灯動作を行う。詳細は図１１にて詳述する。このとき前述した通り、補助光手段１０００のＰＮＰトランジスタ１０１２，２０１２，３０１２をオフして、オペアンプ１００４，２００４，３００４の非反転入力端の電圧レベルを式（１）のように切り換えることで、ＬＥＤ１〜ＬＥＤ３の消費電流を大きくする。
［ステップＳ１１１］  レンズ１の焦点距離情報により選定された照射角のポジションになるように照射角調整用モータ８を駆動する。
【００５５】
ワイヤレススレーブモード時には、上記のようにステップＳ１０６からステップＳ１１２へ進む。
［ステップＳ１１２］  ワイヤレススレーブモード時のデフォルト焦点距離に相当するストロボ照射角になるように照射角調整用モータ８を駆動する。例えば、広角側の２４ｍｍに設定する。その後、ステップＳ１１３へ進む。
［ステップＳ１１３］  ＷＬＳ＿ＯＮ信号をＬＬからＨＬにしワイヤレス受光回路２５を起動する。同時に前述した通り、補助光手段１０００のＰＮＰトランジスタ１０１２，２０１２，３０１２をオンして、オペアンプ１００４，２００４，３００４の入力の非反転入力端の電圧レベルを式（２）のように切り換える。
［ステップＳ１１４］  ワイヤレススレーブの動作可能状態を示す補助光点灯表示を行う。例えば図１５のタイミングチャートのように、信号ラインＬＥＤＯＮ１の出力をＬＬ，ＨＬとなるように繰り返してＬＥＤ１を点灯させるようにする。このときの消費電流は、前述の式（１）のＡＦ補助光を使用時より式（２）のように小さくなる。そして、ステップＳ１１５へ進む。
［ステップＳ１１５］  昇圧した電圧が発光素子５の発光に必要な電圧レベルにまで達したかどうかを判定し、発光素子５の発光に必要な電圧レベルにまで達していると判定した場合にはステップＳ１１６へ進む。昇圧回路６が昇圧した電圧が発光素子５の発光に必要な電圧レベルにまで達していないと判定した場合には、ステップＳ１２２に進む。
［ステップＳ１１６］  充電完了信号を出力してストロボの発光準備ができたことをＣＣＰＵ１９に知らせる。
［ステップＳ１１７］  ＣＣＰＵ１９より発光開始用信号が出力されているかどうかをチェックし、発光開始用信号が出力されていなければステップＳ１０２に戻り、上述したステップを繰り返す。一方、発光開始用信号が出力されているならばステップＳ１１８へ進む。
［ステップＳ１１８］  不図示の発光開始用素子にトリガ信号を与えてストロボの発光を開始させる。
［ステップＳ１１９］  ＣＣＰＵ１９より発光停止用信号が出力されているかどうかをチェックし、発光停止用信号が未だ出力されていなければステップＳ１２０に進む。なお、発光停止用信号を検出した場合はステップＳ１２１へ進む。
［ステップＳ１２０］  ストロボが最大発光量まで発光したかどうかをチェックし、ストロボが最大発光量まで発光していない場合にはステップＳ１１９に戻り、上述したステップを繰り返す。一方、ストロボが最大発光量まで発光した場合にはステップＳ１２１へ進む。
［ステップＳ１２１］  不図示の発光停止用素子にトリガ信号を与えてストロボの発光を停止する。この後ステップＳ１０２へ戻り、上述したステップを繰り返す。
【００５６】
上記のようにステップＳ１１５にて、昇圧回路６が昇圧した電圧が発光素子５の発光に必要な電圧レベルにまで達していないと判定した場合には、ステップＳ１２２に進む。
［ステップＳ１２２］  充電信号を出力してストロボの発光準備ができていないことをＣＣＰＵ１９に知らせる。この後、ステップＳ１０２へ戻り、上述したステップを繰り返す。
【００５７】
次に、図１１にて上記ステップＳ１１０でのＡＦ補助光点灯動作について説明する。
【００５８】
カメラのＣＣＰＵ１９から通信ラインＳＣを介して、ＡＦ補助光点灯指示がどのＬＥＤを点灯させるのかを判別する。
［ステップＳ１１０１］  ３灯点灯が指示された場合はステップＳ１１０２へ進む。そうでなければステップＳ１１０３へ進む。
［ステップＳ１１０２］  ３灯点灯を行う。例えば、図１４に示したタイミングチャートに従って信号ラインＬＥＤＯＮ１，ＬＥＤＯＮ２，ＬＥＤＯＮ３の出力をＬＬ，ＨＬにし、ＬＥＤ１，ＬＥＤ２，ＬＥＤ３の発光動作を行う。
【００５９】
上記のように３灯点灯が指示でない場合はステップＳ１１０３へ進む。
［ステップＳ１１０３］  ２灯点灯が指示されたと判定した場合はステップＳ１１０４へ進む。そうでなければステップＳ１１１０へ進む。
［ステップＳ１１０４］  ＬＥＤ１とＬＥＤ２の点灯指示かを判別し、そうならばステップＳ１１０５へ進み、違っていたらステップＳ１１０６へ進む。
［ステップＳ１１０５］  ２灯点灯を行う。例えば、図１３に示したタイミングチャートに従って信号ラインＬＥＤＯＮ１，ＬＥＤＯＮ２の出力をＬＬ，ＨＬにし、ＬＥＤ１，ＬＥＤ２の発光動作を行う。
［ステップＳ１１０６］  ＬＥＤ１とＬＥＤ３の点灯指示かを判別し、そうならばステップＳ１１０７へ進み、違っていたらステップＳ１１０８へ進む。
［ステップＳ１１０７］  ２灯点灯を行う。図１３に示したタイミングチャートの信号ラインＬＥＤＯＮ２を、信号ラインＬＥＤＯＮ３に置き換えた動作と同じである。信号ラインＬＥＤＯＮ１，ＬＥＤＯＮ３の出力をＬＬ、ＨＬにし、ＬＥＤ１，ＬＥＤ3の発光動作を行う。
［ステップＳ１１０８］  ＬＥＤ２とＬＥＤ３の点灯指示かを判別し、そうならばステップＳ１１０９へ進み、違っていたらリターンへ進む。
［ステップＳ１１０９］  ２灯点灯を行う。図１３に示したタイミングチャートの信号ラインＬＥＤＯＮ１を、ＬＥＤＯＮ３に置き換えた動作と同じである。信号ラインＬＥＤＯＮ２，ＬＥＤＯＮ３の出力をＬＬ，ＨＬにし、ＬＥＤ１，ＬＥＤ3の発光動作を行う。
【００６０】
上記のように２灯点灯が指示されていない場合はステップＳ１１１０へ進む。
［ステップＳ１１１０］  １灯点灯が指示された場合はステップＳ１１１１へ進む。そうでなければリターンへ進む。
［ステップＳ１１１１］  ＬＥＤ１の点灯指示かを判別し、そうならばステップＳ１１１２へ進み、違っていたらステップＳ１１１３へ進む。
［ステップＳ１１１２］  １灯点灯を行う。図１２に示したタイミングチャートに従って信号ラインＬＥＤＯＮ１の出力をＬＬ，ＨＬにし、ＬＥＤ１の発光動作を行う。
［ステップＳ１１１３］  ＬＥＤ２の点灯指示かを判別し、そうならばステップＳ１１１４へ進み、違っていたらステップＳ１１１５へ進む。
［ステップＳ１１１４］  １灯点灯を行う。図１２に示したタイミングチャートの信号ラインＬＥＤＯＮ１を、信号ＬＥＤＯＮ２に置き換えた動作と同じである。信号ラインＬＥＤＯＮ２の出力をＬＬ，ＨＬにし、ＬＥＤ２の発光動作を行う。
［ステップＳ１１１５］  ＬＥＤ３の点灯指示かを判別し、そうならばステップＳ１１１６へ進み、違っていたらリターンへ進む。
［ステップＳ１１１６］  １灯点灯を行う。図１２に示したタイミングチャートの信号ラインＬＥＤＯＮ１を、信号ラインＬＥＤＯＮ３に置き換えた動作と同じである。信号ラインＬＥＤＯＮ３の出力をＬＬ，ＨＬにし、ＬＥＤ３の発光動作を行う。
【００６１】
上記の実施例１によれば、不図示のスレーブストロボ装置とストロボ装置１を制御して多灯撮影を行うカメラシステムにおいて、ワイヤレススレーブモードが設定されたときは、スレーブの状態認識させるための補助光の発光に関して、自動焦点使用時の発光量より少ない光量に設定するようにしている。これにより、電池の消耗が激しくなるといった欠点を解消できる。具体的には、スレーブモードに設定されたとき（動作可能状態となったとき）に、自動焦点使用時の発光量より少ない光量に設定するために、上記（１）式から上記（２）に示したように補助光手段１０００での駆動信号を切り換え、ＬＥＤでの消費電流を小さくすることで行っている。また、本実施例１のように、補助光手段１０００が三つのＬＥＤにより構成される場合に、ワイヤレススレーブ時には一つのみＬＥＤのみを使用することでも、補助光手段１０００の消費電流を小さくすることにつながることは云うまでもない。
【実施例２】
【００６２】
本発明の実施例２は、ワイヤレススレーブモードが設定されたときは、スレーブの状態認識をさせるための補助光の発光に関して、自動焦点使用時の発光量より少ない光量に設定するのは、上記実施例１と同等であるが、さらに、発光量を少なくするために、補助光が発光するオン状態のデューティを下げるように構成（ＰＷＭ制御を行う構成に）したものである。ここでは実施例１と異なるところのみを説明する。
【００６３】
上記図１０のフローチャートにおけるステップＳ１１４において、ワイヤレススレーブの動作可能状態を示す補助光点灯表示を行う際、信号ラインＬＥＤＯＮ１の出力を、例えば図１６のタイミングチャートのようなデューティの信号（図１５との比較から明らかなように、ＨＬの期間を短くしている）とし、ＬＥＤ１を点灯させるようにする。また、このときの消費電流は、前述のＡＦ補助光を使用時の式（１）から式（２）のように切り換えられることで、さらに小さくなる。
【００６４】
この実施例２では、補助光が発光するオン状態のデューティを下げることによる消費電流の低下と、ＷＬＳ＿ＯＮにより前述の式（１）のＡＦ補助光を使用時より式（２）のように小さくする方法とで、２重に消費電流を下げることを行っているが、ＷＬＳ＿ＯＮ信号が無くても（上記（１）から上記（２）に切り換えるような回路構成にしなくても）消費電流を下げることができる。
【００６５】
上記の実施例２によれば、不図示のスレーブストロボ装置とストロボ装置を制御して多灯撮影を行うカメラシステムにおいて、ワイヤレススレーブモードに設定されたときは、補助光の光量を自動焦点使用時の光量よりも小さくすることによって、電池の消耗が激しくなることを防いでいる。具体的には、ＬＥＤ１の発光のオン状態のデューティを下げることによって光量を小さくし、より消費電流を低下させ、これを実現している。
【実施例３】
【００６６】
本発明の実施例３は、ワイヤレススレーブモードが設定されたときは、スレーブの状態認識をさせるための補助光の発光に関して、自動焦点使用時の発光量より少ない光量に設定するのは、上記実施例１と同等であるが、この際、複数の補助光を交互に発光させる構成にしたものである。ここでも実施例１と異なるところのみを説明する。
【００６７】
上記図１０のフローチャートにおけるステップＳ１１４において、ワイヤレススレーブの動作可能状態を示す補助光点灯表示を行う際、信号ラインＬＥＤＯＮ１とＬＥＤＯＮ２の各出力を、例えば図１７のタイミングチャートのようにし、ＬＥＤ１，ＬＥＤ２を交互に点灯させる。また、このときの消費電流は、前述の式（１）のＡＦ補助光を使用時より式（２）のように小さくなる。ここで、ＬＥＤ1，ＬＥＤ２を交互に点灯させているが、ＬＥＤ２，ＬＥＤ３の組み合わせにしたり、ＬＥＤ１，ＬＥＤ３の組み合わせにしたり、適宜変更することが望ましい。
【００６８】
上記の実施例３によれば、不図示のスレーブストロボ装置とストロボ装置を制御して多灯撮影を行うカメラシステムにおいて、ワイヤレススレーブモードに設定されたときは、三つのＬＥＤより成る補助光手段１０００のうち、ＬＥＤ1とＬＥＤ２、ＬＥＤ1とＬＥＤ３、もしくは、ＬＥＤ２とＬＥＤ３を交互に発光するようにして、複数のＬＥＤのうち特定のＬＥＤが点灯しつづけることによる該特定のＬＥＤの耐久寿命が他のＬＥＤより先にきてしまうといった不都合を解消することができる。
【００６９】
また、ワイヤレススレーブモードに設定されたときは、前記ＬＥＤ1とＬＥＤ２、ＬＥＤ1とＬＥＤ３、もしくは、ＬＥＤ２とＬＥＤ３を交互に発光させる際の発光量を、自動焦点使用時の光量よりも少なくするようにしているので、電池の消耗が激しくなることを防いでいる。
【００７０】
さらには、複数の補助光の発光によりワイヤレススレーブ状態を広範囲の角度において見ることができ、かつ、交互の発光によりその発光が目立ち、ＡＦ補助光発光との区別が容易となり、従来に比べて補助光手段１０００の視認性が向上するといった効果もある。
【実施例４】
【００７１】
本発明の実施例４は、ワイヤレススレーブモードが設定されたときは、スレーブの状態認識させるための補助光の発光に関して、自動焦点使用時の発光量より少ない光量に設定するのは、上記実施例１と同等であるが、この際、複数の補助光を順次発光するように構成したものである。ここでも実施例１と異なるところのみを説明する。
【００７２】
上記図１０のフローチャートにおけるステップＳ１１４において、ワイヤレススレーブの動作可能状態を示す補助光点灯表示を行う際、信号ラインＬＥＤＯＮ１とＬＥＤＯＮ２とＬＥＤＯＮ３の各出力を、例えば図１８のタイミングチャートのようにし、ＬＥＤ１，ＬＥＤ２，ＬＥＤ３を順次点灯させるようにする。また、このときの消費電流は、前述の式（１）のＡＦ補助光を使用時より式（２）のように小さくなる。
【００７３】
上記の実施例４によれば、不図示のスレーブストロボ装置とストロボ装置を制御して多灯撮影を行うカメラシステムにおいて、ワイヤレススレーブモードに設定されたときは、
三つのＬＥＤより成る補助光手段１０００を、ＬＥＤ1，ＬＥＤ２，ＬＥＤ３のように順に点灯させるようにして、複数のＬＥＤのうち特定のＬＥＤが点灯しつづけることによる該特定のＬＥＤの耐久寿命が他のＬＥＤより先にきてしまうといった不都合を解消することができる。
【００７４】
また、ワイヤレススレーブモードに設定されたときは、例えばＬＥＤ1，ＬＥＤ２，ＬＥＤ３というように順に発光させる際の発光量を、自動焦点使用時の光量よりも少なくするようにしているので、電池の消耗が激しくなることを防いでいる。
【００７５】
さらには、複数の補助光の発光によりワイヤレススレーブ状態を広範囲の角度において見ることができ、かつ、順次発光させることによりその発光が目立ち、ＡＦ補助光発光との区別が容易となり、従来に比べて補助光手段１０００の視認性が向上するといった効果もある。
【００７６】
尚、上記の実施例１〜４では、補助光手段１０００を、焦点検出用の補助光とスレーブモードの状態認識用に用いる例を示しているが、これに限定されるものではなく、ストロボの充電完了の状態確認に光らせるものとして用いる場合も、自動焦点使用時の発光量より低い光量に設定することにより、同様の効果を得ることができるものである。
【図面の簡単な説明】
【００７７】
【図１】本発明の実施例１に係るカメラシステムの概略を示す構成図である。
【図２】図１のストロボ装置に備わった表示器での表示例を示す図である。
【図３】図１のストロボ装置内の詳細を示すブロック図である。
【図４】図１のスイッチ回路２４の詳細を示す回路図である。
【図５】図１の補助光手段を構成するＬＥＤの配置の一例を示す図である。
【図６】本発明の実施例１において補助光点灯の概念図である。
【図７】図１のカメラ制御用マイクロコンピュータの動作を示すフローチャートである。
【図８】図７の動作の続きを示すフローチャートである。
【図９】図７のステップＳ６における焦点検出動作を示すフローチャートである。
【図１０】図１のストロボ制御用マイクロコンピュータの動作を示すフローチャートである。
【図１１】図１０のステップＳ１１０のＡＦ補助光点灯動作を示すフローチャートである。
【図１２】本発明の実施例１においてＡＦ補助光作動時の各信号を示すタイミングチャートである。
【図１３】同じく本発明の実施例１においてＡＦ補助光作動時の各信号を示すタイミングチャートである。
【図１４】同じく本発明の実施例１においてＡＦ補助光作動時の各信号を示すタイミングチャートである。
【図１５】本発明の実施例１においてワイヤレススレーブ時における補助光点灯表示の為のタイミングチャートである。
【図１６】本発明の実施例２においてワイヤレススレーブ時における補助光点灯表示の為のタイミングチャートである。
【図１７】本発明の実施例３においてワイヤレススレーブ時における補助光点灯表示の為のタイミングチャートである。
【図１８】本発明の実施例４においてワイヤレススレーブ時における補助光点灯表示の為のタイミングチャートである。
【符号の説明】
【００７８】
１        ストロボ装置
２        カメラ
３        レンズ
５        発光素子
８        照射角調整用モータ
７        表示器
９        ストロボ制御用マイクロコンピュータ（ＦＰＵ）
１９      カメラ制御用マイクロコンピュータ（ＣＣＰＵ）
２３      レンズ制御用マイクロコンピュータ（ＬＰＵ）
２４      スイッチ回路
２５      ワイヤレス受光回路
１０００  補助光手段
１００１  ＬＥＤ１
２００１  ＬＥＤ２
３００１  ＬＥＤ３
【図１】
2006023526.tif 000003
【図２】
2006023526.tif 000004
【図３】
2006023526.tif 000005
【図４】
2006023526.tif 000006
【図５】
2006023526.tif 000007
【図６】
2006023526.tif 000008
【図７】
2006023526.tif 000009
【図８】
2006023526.tif 000010
【図９】
2006023526.tif 000011
【図１０】
2006023526.tif 000012
【図１１】
2006023526.tif 000013
【図１２】
2006023526.tif 000014
【図１３】
2006023526.tif 000015
【図１４】
2006023526.tif 000016
【図１５】
2006023526.tif 000017
【図１６】
2006023526.tif 000018
【図１７】
2006023526.tif 000019
【図１８】
2006023526.tif 000020